(57)【要約】【課題】加熱調理器の利便性を向上させる。【解決手段】加熱室２２内には、ヒータ３１，３５が備えられている。ヒータ３１は、可動板２３０に取付けられ、可動板２３０は、ピン２４０を介して加熱室２２に取付けられる。可動板２３０は、ロック部２３０Ａを加熱室２２の後面２２Ｗに適宜嵌め込まれることにより、ロックされるが、その状態から、ロック部２３０Ａを若干下方に下げられると、ピン２４０を軸として両矢印Ｒ方向に回動できる状態となる。可動板２３０がピン２４０を軸として回動すると、可動板２３０に固定されているヒータ３１も移動し、取付具３２によるヒータ３１の支持は、解除される。なお、再度、ロック部３１０Ａを嵌め込み部２２０Ａに嵌め込まれることにより、ヒータ３１は、取付具３２に支持される状態に戻ることができる。【選択図】　　　　図８
2004044941.tif 000002
【特許請求の範囲】
【請求項１】
食品を収容する加熱室と、外部の電源から電力を供給される制御回路と、前記加熱室内に設置され、前記制御回路を介して外部の電源から電力を供給されることにより発熱するヒータとを含む加熱調理器であって、
前記ヒータを、当該ヒータが前記制御回路と接続されたままの状態で、前記加熱室に対して移動可能に取付ける取付部材をさらに含む、加熱調理器。
【請求項２】
前記取付部材は、前記加熱室に取付けられた軸と、前記ヒータを固定され当該軸を中心に回転移動が可能な回転部材とから構成される、請求項１に記載の加熱調理器。
【請求項３】
食品を加熱するための加熱部と、外部から電力を供給され前記加熱部への電力の供給を制御するための制御部と、前記制御部を覆う本体と、前記本体の内部に空気を導入するための吸気口とを含む加熱調理器であって、
前記吸気口を覆うルーバをさらに含み、
前記ルーバは、前記本体の内部に収納される第１の状態と前記本体外部に位置する第２の状態とを取ることのできる変位部を備える、加熱調理器。
【請求項４】
前記本体内に空気を導入するためのファンと、
前記ルーバの変位部を、前記ファンの駆動が停止されている場合に前記第１の状態とし、前記ファンが駆動されている場合に前記第２の状態とする、ルーバ移動手段をさらに含む、請求項３に記載の加熱調理器。
【請求項５】
食品を収容する加熱室と、前記加熱室を開閉するためのドアとをさらに含み、
前記吸気口は、前記ドアに隣接し、
前記ルーバの変位部は、前記第２の状態にされた際に、前記ドアと前記吸気口とを仕切る壁面を構成する、請求項４に記載の加熱調理器。
【請求項６】
前記加熱部の動作内容を入力するための操作部をさらに含み、
前記操作部は、前記ルーバ上に設けられている、請求項３〜請求項５のいずれかに記載の加熱調理器。
【請求項７】
食品を加熱するための加熱部と、外部から電力を供給され前記加熱部への電力の供給を制御するための制御部と、前記制御部を覆う本体と、前記本体の内部に空気を導入するためおよび排出するための開口とを含む加熱調理器であって、
前記開口は、前記本体において、所定の方向の一方側に設けられ、
前記本体の内側の前記所定の方向についての前記一方側の面と他方側の面との間に設けられ、前記開口から前記本体の内部へ前記所定の方向に交わる方向に空気を導く風路を構成する風路部材をさらに含む、加熱調理器。
【請求項８】
前記制御部は、電子部品と、当該電子部品を実装する基板とを備え、
前記風路部材は、前記基板から構成される、請求項７に記載の加熱調理器。
【請求項９】
食品を加熱するための加熱部と、前記加熱部に加熱される食品を収容する加熱室と、前記加熱室を覆う本体と、前記本体の外部に空気を排出するための排気口と、前記加熱室と前記排気口とを接続するダクトとを含む加熱調理器であって、
前記加熱室の天面は、前記ダクトに接続される部分が最も高くなるように傾斜を有する、加熱調理器。
【請求項１０】
前記加熱室を開閉するドアをさらに含み、
前記加熱室は、所定の方向の一方側に前記ドアによって開閉される開口を有し、前記所定の方向の他方側で前記ダクトと接続され、
前記加熱室の底面は、前記所定の方向の一方側から他方側に向けて高くなるように傾斜を有する、請求項９に記載の加熱調理器。
【発明の詳細な説明】
【０００１】
【発明の属する技術分野】
本発明は、調理装置に関し、特に、ヒータにより食品を加熱する加熱調理器に関する。
【０００２】
【従来の技術】
従来の加熱調理器としては、特許第２８７００４５号として開示されているものがある。当該加熱調理器の斜視図を図２０に示す。また、図２１に、図２０の加熱調理器の下本体５２１の一部を破断した斜視図を示す。
【０００３】
上記した従来の加熱調理器は、厨房家具に取付けられている。また、当該従来の加熱調理器は、上本体５０１と下本体５２１とを備え、上本体５０１は、厨房家具の天面５００に支持されている。
【０００４】
上本体５０１には、吸排気を行うための吸排気口５０７が設けられている。下本体５２１の内部には、奥行きが長手方向になっているロースタ等からなる加熱室５２２が備えられている。また、下本体５２１の前面には、操作パネル５２４、および、加熱室５２２を開閉できる扉５２３が取付けられている。加熱室５２２内部には、ヒータが設けられ、下本体５２１の内部には、当該ヒータ等の種々の要素を制御するめの制御回路５３０が備えられている。さらに、下本体５２１内部には、加熱室排気口５２５、冷却ファン５２６、モータ５２７、吸気ダクト５２８が備えられ、吸気ダクト５２８の内部が吸気口５２９とされている。制御回路５３０においては、特に冷却を必要とするトランジスタ等にはヒートシンク５３１が設けられている。また、加熱室５２２の後部が、下本体５２１自体の排気口５３２とされている。
【０００５】
この加熱調理器では、制御回路５３０を冷却するための下本体５２１における吸排気は、冷却ファン５２６が回転され、吸排気口５０７から吸気口５２９を介して矢印ｅのように吸気され、矢印ｆのように制御回路５３０が冷却され、そして、矢印ｇ，矢印ｈのように吸排気口５０７から排気されることにより、なされていた。
【０００６】
このような加熱調理器では、吸気口を、吸排気口５０７とは別に、操作パネル５２４が備えられている位置等、下本体５２１の前面に備えてもよいとされていた。
【０００７】
【発明が解決しようとする課題】
このような加熱調理器には、従来から、加熱室内の清掃がしにくく利便性が悪いという問題があった。具体的には、加熱室内にはヒータが取付けられているため、部分的に、清掃が困難な場所があった。なお、このような問題を解決するためには、ヒータが取外し可能な構造とする必要があり、そのためには、コネクタ等の、ヒータと配線とを電気的に取外し可能に接続する部材が必要となるため、コストが大きく上昇するという新たな問題が生じる。
【０００８】
また、上記したような従来の加熱調理器では、下本体５２１の前面に吸気口を設けた場合、ユーザが調理中に当該加熱調理器の前面に立つことにより吸気口が塞がれることが考えられた。なお、吸気口を塞がれないように、当該吸気口近傍に凸部を設けて吸気口の前方にユーザとの距離を確保しようとする場合、加熱調理器を加熱調理に使用していないときに当該凸部にユーザ等がひっかかり、利便性が悪いという問題が生じる。
【０００９】
また、上記したような従来の加熱調理器では、下本体５２１の後部に設けられた吸排気口５０７から下本体５２１の内部に導かれた空気は、最終的に、矢印ｆで示されたように前方に導かれた後、１８０度方向を転換されて（矢印ｇ）、矢印ｈで示すように後方に導かれて、吸排気口５０７から排出される。つまり、下本体５２１内部では、空気は、ある方向について一方側に導かれた後、当該一方側とは正反対の他方側に導かれていることになる。そして、このように、下本体５２１内で空気の流れる方向が１８０度変更されると、空気の抵抗が大きいことから、制御回路５３０が充分に冷却されず、誤作動等、種々の不都合が生じて利便性が低下するおそれがあった。
【００１０】
また、従来の加熱調理器を、厨房家具に取付けようとする場合、厨房家具と加熱調理器の重なった部分の一方側からボルトに対して作業を行ない、他方側からナットを固定し、というように、厨房家具と加熱調理器の両側において作業を行なう必要があった。このため、取付けの際の利便性が低い、という問題が生じていた。
【００１１】
さらに、従来から、加熱調理器では、加熱調理において生じた煙がユーザに向けて送られないようにされることにより利便性が向上されることを切望されていた。
【００１２】
本発明は、かかる実情に鑑み考え出されたものであり、その目的は、利便性の高い加熱調理器を提供することである。
【００１３】
【課題を解決するための手段】
本発明のある局面に従った加熱調理器は、食品を収容する加熱室と、外部の電源から電力を供給される制御回路と、前記加熱室内に設置され、前記制御回路を介して外部の電源から電力を供給されることにより発熱するヒータとを含む加熱調理器であって、前記ヒータを、当該ヒータが前記制御回路と接続されたままの状態で、前記加熱室に対して移動可能に取付ける取付部材をさらに含むことを特徴とする。
【００１４】
本発明のある局面に従うと、加熱室内を清掃する際、ヒータと制御回路の接続を切断することなく、加熱室内でヒータを移動させることができる。
【００１５】
これにより、ユーザは、加熱調理器に、ヒータと制御回路とを電気的に取外し可能に接続する部材が備えられなくとも、容易に加熱室内全体を清掃できる。つまり、加熱室内の清掃という観点で加熱調理器の利便性を向上できる。
【００１６】
また、本発明に従った加熱調理器では、前記取付部材は、前記加熱室に取付けられた軸と、前記ヒータを固定され当該軸を中心に回転移動が可能な回転部材とから構成されることが好ましい。
【００１７】
本発明の他の局面に従った加熱調理器は、食品を加熱するための加熱部と、外部から電力を供給され前記加熱部への電力の供給を制御するための制御部と、前記制御部を覆う本体と、前記本体の内部に空気を導入するための吸気口とを含む加熱調理器であって、前記吸気口を覆うルーバをさらに含み、前記ルーバは、前記本体の内部に収納される第１の状態と前記本体外部に位置する第２の状態とを取ることのできる変位部を備えることを特徴とする。
【００１８】
本発明の他の局面に従うと、ルーバを加熱調理器の本体の外に位置させることにより、加熱調理器の使用時等、吸気の必要のあるときに、ユーザが吸気口を塞ぐのを防止し、かつ、ルーバは加熱調理器の本体の内部に収納可能であるため、吸気が不要の際には、ルーバを本体内部に収納することにより、ユーザがルーバにひっかかることを防止できる。
【００１９】
これにより、加熱調理器に、必要なときには吸気口を介して確実に空気の導入させるための部材を、ユーザに対して過度に邪魔にならないように設けることにより、その利便性を向上できる。
【００２０】
また、本発明に従った加熱調理器は、前記本体内に空気を導入するためのファンと、前記ルーバの変位部を、前記ファンの駆動が停止されている場合に前記第１の状態とし、前記ファンが駆動されている場合に前記第２の状態とする、ルーバ移動手段をさらに含むことが好ましい。
【００２１】
また、本発明に従った加熱調理器は、食品を収容する加熱室と、前記加熱室を開閉するためのドアとをさらに含み、前記吸気口は、前記ドアに隣接し、前記ルーバの変位部は、前記第２の状態にされた際に、前記ドアと前記吸気口とを仕切る壁面を構成することが好ましい。
【００２２】
また、本発明に従った加熱調理器は、前記加熱部の動作内容を入力するための操作部をさらに含み、前記操作部は、前記ルーバ上に設けられていることが好ましい。
【００２３】
本発明のさらに他の局面に従った加熱調理器は、食品を加熱するための加熱部と、外部から電力を供給され前記加熱部への電力の供給を制御するための制御部と、前記制御部を覆う本体と、前記本体の内部に空気を導入するためおよび排出するための開口とを含む加熱調理器であって、前記開口は、前記本体において、所定の方向の一方側に設けられ、前記本体の内側の前記所定の方向についての前記一方側の面と他方側の面との間に設けられ、前記開口から前記本体の内部へ前記所定の方向に交わる方向に空気を導く風路を構成する風路部材をさらに含むことを特徴とする。
【００２４】
本発明のさらに他の局面に従うと、加熱調理器の本体内では、開口を介して所定の方向の一方側から導入された空気が、本体の所定の方向の他方側の壁面に当たる前に、風路部材により、その方向を緩やかに変更される。
【００２５】
これにより、加熱調理器の本体内で、従来よりも開口を介して導入された空気の抵抗を抑えて、空気を循環しやすくさせることができる。したがって、本発明により、制御部が従来よりも冷却されやすくなり、冷却不足による加熱調理器の誤作動を抑え、加熱調理器の利便性を向上できる。
【００２６】
また、本発明に従った加熱調理器では、前記制御部は、電子部品と、当該電子部品を実装する基板とを備え、前記風路部材は、前記基板から構成されることが好ましい。
【００２７】
本発明の別の局面に従った加熱調理器は、食品を加熱するための加熱部と、前記加熱部に加熱される食品を収容する加熱室と、前記加熱室を覆う本体と、前記本体の外部に空気を排出するための排気口と、前記加熱室と前記排気口とを接続するダクトとを含む加熱調理器であって、前記加熱室の天面は、前記ダクトに接続される部分が最も高くなるように傾斜を有することを特徴とする。
【００２８】
本発明の別の局面に従うと、加熱室内で加熱調理により生じた煙等が、速やかに、ダクトに送られる。
【００２９】
したがって、加熱室内で生じた煙が、調理を行なうユーザに向けて送られユーザが不快に思う事態を回避できるため、加熱調理器の利便性を向上できる。
【００３０】
また、本発明の加熱調理器は、前記加熱室を開閉するドアをさらに含み、前記加熱室は、所定の方向の一方側に前記ドアによって開閉される開口を有し、前記所定の方向の他方側で前記ダクトと接続され、前記加熱室の底面は、前記所定の方向の一方側から他方側に向けて高くなるように傾斜を有することが好ましい。
【００３１】
【発明の実施の形態】
［第１の実施の形態］
図１は、本発明の加熱調理器の第１の実施の形態である据え置き型グリル付電磁調理器の斜視図である。当該電磁調理器は、厨房家具１００に嵌め込まれている。そして、電磁調理器は、外装となる本体２０、本体２０の上面に設けられた耐熱性セラミック製のトッププレート１２、操作パネル４０、および、開口１３〜１５を備えている。トッププレート１２は、上面に、誘導加熱部１２Ａ〜１２Ｃを表示され、外周には、枠体１１が嵌めこまれている。図２（Ａ）は、図１の電磁調理器の本体２０の内部を示す図である。
【００３２】
図２（Ａ）をさらに参照して、本体２０の内部には、魚や肉などの食品を収容して加熱する加熱室（ロースタ部）２２が備えられている。加熱室２２には、ダクト２３が接続されている。加熱室２２は、ドア２１によって開閉される。また、本体２０内部には、電磁調理器を制御するための種々の電子部品を実装する制御基板２４、および、本体２０内で空気を循環させるファン２５が備えられている。ファン２５には、ダクト２６が接続されている。
【００３３】
開口１３〜１５は、本体２０の上面であってトッププレート１２の後部に位置する。ダクト２３は、開口１５に接続され、ダクト２６は、開口１３に接続される。開口１３〜１５の上面には、カバー１６が嵌め込まれている。また、本体２０の前面には、飾り金具４２が嵌め込まれている。
【００３４】
図２（Ａ）では、矢印で、開口１３およびダクト２６を介して本体２０内に導入され、ファン２５により本体２０内を循環される空気の流れが示されている。ダクト２６を介して本体２０内に導入された空気は、ファン２５によって送られ、制御基板２４によって加熱室２２側に導かれ、開口１４，１５を介して本体２０外に排出される。
【００３５】
図２（Ｂ）には、本体２０内においてダクト２６を介して導入された空気を制御基板２４が導く方向が模式的に示されている。図２（Ｂ）では、本体２０内でダクト２６を介して導入された空気の方向が、実線の矢印Ｐ１，Ｐ３として示されている。矢印Ｐ１で示された空気の方向は、制御基板２４によって、破線の矢印Ｐ２に示される方向に変換される。なお、図２（Ｂ）には、参考として、矢印Ｐ３に示された方向に流れる空気が、本体２０の前面の内壁によって方向変換された際の方向を破線の矢印Ｐ４で示している。矢印Ｐ１と矢印Ｐ２は、互いに交わる方向であるが、矢印Ｐ３と矢印Ｐ４とは、平行で向きが異なる。
【００３６】
本実施の形態の加熱調理器では、本体２０内で、制御基板２４が、矢印Ｐ１から矢印Ｐ２に、空気の方向を変換するよう備えられているため、矢印Ｐ３から矢印Ｐ４に方向を変換されるより、変換前後の空気の抵抗を抑えることができる。これにより、本体２０内で、速やかに空気を循環させることができ、制御基板２４上の電子部品を効率良く冷却できる。
【００３７】
図３は、図１の電磁調理器の加熱室２２の下面図である。また、図４は、図３の加熱室２２のＩＶ−ＩＶ線に沿う矢視断面図である。なお、図３では、上側が、（図３中にも文字で記入しているように、）ドア２１側とされている。加熱室２２は、金属の筐体であり、その内部に、食品を収容できるよう、構成されている。
【００３８】
加熱室２２の内部には、ヒータ３１，３５が、加熱室２２内に適宜設置された取付具３２，３６により取付けられている。なお、ヒータ３５は、ヒータ３１の上方に取付けられている。加熱室２２内では、食品は、ヒータ３１，３５の上下方向の間に収容され、加熱される。
【００３９】
ヒータ３１，３５は、その後端に、それぞれ端子３１Ａ，３５Ａを備えている。端子３１Ａ，３５Ａは、図示しない配線により、制御基板２４上の制御回路と適宜接続されている。ヒータ３１の後部は、可動板２３０を介して、加熱室２２に取付けられている。ヒータ３１は、ねじ３１０により可動板２３０に取付けられている。
【００４０】
図５は、加熱室２２に取付けられた状態での、可動板２３０の平面図である。また、図６は、加熱室２２の、可動板２３０が取付けられている付近の、可動板２３０が外された状態での、後面図である。
【００４１】
図５および図６を参照して、加熱室２２の後面には、開口２２０が形成され、また、支持部材２２１，２２２が取付けられている。可動板２３０の下部には、折り返し部２３０Ｄが形成されている。可動板２３０は、別途準備されるピン２４０が、支持部材２２１，２２２および折り返し部２３０Ｄの内部を通されることにより、加熱室２２の後面に取付けられる。図７（Ａ）は、ピン２４０の平面図であり、図７（Ｂ）は、可動板２３０の平面図である。
【００４２】
図７（Ａ）および図７（Ｂ）をさらに参照して、可動板２３０は、端子３１Ａを通される孔２３０Ｂと、ねじ３１０を嵌め込まれる孔２３０Ｃを形成されている。また、可動板２３０には、座押しにより、加熱室２２側に向けて凸形状を有するロック部２３０Ａが形成されている。
【００４３】
加熱室２２の開口２２０の上部は、嵌め込み部２２０Ａとして、小さく飛び出た開口部となっている。
【００４４】
可動板２３０は、ロック部２３０Ａを嵌め込み部２２０Ａに嵌めこむことにより、ロックされ、図４に示すように、加熱室２２の後面２２Ｗ上に、当該後面２２Ｗに平行に、位置している。
【００４５】
ロック部２３０Ａが若干下方に下げられることにより、ロック部２３０Ａは、嵌め込み部２２０Ａから外れる。これにより、可動板２３０は、ピン２４０を軸として、図８に示す両矢印Ｒ方向に回動できる状態となる。図８は、可動板２３０が、図４に示す状態から、ピン２４０を軸として回動した際の状態を示す図である。図９は、図８の可動板２３０付近の拡大図である。
【００４６】
図８および図９を参照して、可動板２３０がピン２４０を軸として回動すると、可動板２３０に固定されているヒータ３１も、移動する。なお、取付具３２によるヒータ３１の支持は、解除される。
【００４７】
そして、再度、ロック部３１０Ａを嵌め込み部２２０Ａに嵌め込まれることにより、可動板２３０およびヒータ３１は、図４の状態に戻ることができる。
【００４８】
つまり、本実施の形態では、可動板２３０を回動させることにより、ヒータ３１を、加熱室２２内で、制御回路との接続を維持させたまま、移動させることができる。これにより、ユーザは、加熱室２２の内側の底面を、容易に、清掃できる。
【００４９】
図１０は、本実施の形態の電磁調理器の右側面図である。
本実施の形態の電磁調理器は、図１等では省略したが、その前面（ドア２１を備えた面）に、厨房家具に当該電磁調理器を固定するための部材（固定用金具５２およびビス５１を含む）を備えている。図１１に、電磁調理器において、そのような部材備えられた部分の内部構造を模式的に示す。
【００５０】
電磁調理器では、保持部材５０が、適宜、本体２０内で固定されている。保持部材５０の上部には、ピン５０Ａが備えられ、ピン５０Ａの下端は、保持部材５０内に収納されている。保持部材５０の下部には、ビス５１がねじ込まれている。そして、保持部材５０の内部では、ビス５１とピン５０Ａとにより、固定用金具５２が固定されている。固定用金具５２は、板体であり、第１の部分５２Ａと、第１の部分５２Ａより前方に位置し第１の部分５２Ａに対してほぼ９０°の角度を有する第２の部分５２Ｂと、第１の部分５２より後方に位置し、第１の部分５２Ａに対して６０°程度の角度を有する第３の部分５２Ｃとからなる。図１２は、図１１の固定用金具５２の近傍を、矢印Ｔ方向から見た図である。
【００５１】
第１の部分５２Ａ〜第３の部分５２Ｃには、スリット５２Ｘが形成されている。そして、固定用金具５２は、スリット５２Ｘにビス５１を嵌めこまれ、上方からはピン５０Ａによって押さえられることにより、保持部材５０の内部で、固定されている。
【００５２】
工具２００によるビス５１を、そのねじ込みを解除する方向に回転されると、固定用金具５２は、保持部材５０の内部でビス５１をスリット５２Ｘに通したままの状態で、移動可能となる。図１１では、固定用金具５２の一部分（第１の部分５２Ａおよび第３の部分５２Ｃ）は、本体２０内に収納されているが、本体２０内にビス５１のねじ込みを解除され、矢印Ｑ方向に引出されると、第３の部分５２Ｃが保持部材５２に対応するよう、移動される。この状態から、ビス５１がねじ込まれると、ピン５０Ａとビス５１とにより、図１３の矢印Ｘで示すように、徐々に、固定用金具５２は、起立した状態となる。つまり、第２の部分５２Ｂおよぎ第１の部分５２Ａは、図１３の破線で示した状態から、実線で示した状態となる。
【００５３】
ビス５１が保持部材５０に対して完全にねじ止めされた状態では、図１３の実線で示した状態となり、第２の部分５２Ｂが、厨房家具１００の下面に押しつけられる。これにより、電磁調理器は、厨房家具１００に対して固定される。なお、本実施の形態では、保持部材５０、ビス５１、および、固定用金具５２が備えられることにより、下方からのみ操作を行なうことにより、電磁調理器を厨房家具１００に対して固定できる。また、電磁調理器が厨房家具１００に対して固定されていない場合には、固定用金具５２の第１の部分５２Ａおよび第３の部分５２Ｃが、本体２０内に収納可能であるため、搬送する際等に、電磁調理器をよりコンパクトなものとすることができる。
【００５４】
［第２の実施の形態］
次に、本発明の第２の実施の形態として、第１の実施の形態で説明した電磁調理器の、本体２０の内部に変更を加えたものを説明する。図１４は、本発明の第２の実施の形態である電磁調理器の正面図である。
【００５５】
本実施の形態では、本体２０の前面であって、ドア２１に隣接するように、ルーバ６０が備えられている。図１４のＸＶ−ＸＶ線に沿う矢視断面図を、図１５に示す。
【００５６】
ルーバ６０は、本体２０の前面を覆う第１の部分６０Ａと、本体２０内に収納されている第２の部分６０Ｂとを含む。第２の部分６０Ｂの近傍には、第２の部分６０Ｂからドア３方向に、順に、ギア６２、支持板７０、モータ６４が設置されている。また、ギア６２の前方にはギア６１が設置され、モータ６４の上方にはスイッチ６３が設置されている。支持板７０は、本体２０に固定されており、ギア６２およびモータ６４を支持している。
【００５７】
本実施の形態では、本体２０の前面に、ルーバ６０の第１の部分に覆われるように、開口（後述する図１７の開口７１）が形成され、ファン２５は、当該開口から本体２０内に空気を導入できるよう、本体２０内の比較的前方に備えられている。
【００５８】
ルーバ６０は、ギア６１に連動して回転移動をする。ギア６１は、その歯６１Ａが、ギア６２の歯６２Ａと噛み合わせられている。また、ギア６２は、モータ６４により回転する。つまり、モータ６４が駆動することにより、ギア６２が回転し、その回転力が、歯６２Ａ，歯６１Ａを介して、ルーバ６０に伝えられる。ギア６１とルーバ６０とは、軸６０Ｘで接続されている。そしてギア６１が回転すると、ルーバ６０は、軸６０Ｘを中心として、回転する。
【００５９】
図示せぬ制御回路により、ファン２５が回転したことに連動して、モータ６４が駆動される。これにより、図１５に示す状態から、図１６に示す状態へと、ルーバ６０が回転する。
【００６０】
図１５を参照して、ギア６２は、凹部６２Ｈを形成されている。図１６に示す状態では、ギア６２が回転することにより、凹部６２Ｈがスイッチ６３と対向し、スイッチ６３のボタンが凹部６２Ｈ内に収容されている。これにより、スイッチ６３のオン／オフが切換えられ、モータ６４の駆動が停止される。つまり、ギア６２が凹部６２Ｈを形成されていることにより、ルーバ６０が、図１５に示す状態から図１６に示す状態にまで回転移動された後、当該回転移動は、図１６に示す状態で停止される。図１６に示した電磁調理器の、正面図を図１７に、ギア６１，６２近傍を一部破断させた状態での正面図を図１８に示す。図１６および図１７に示す状態では、ルーバ６０の第２の部分６０Ｂが、本体２０の外に出されている。
【００６１】
なお、本実施の形態の電磁調理器では、ファン２５の回転が停止されると、それに応答して、モータ６４が前回とは反対方向に駆動され、これにより、ルーバ６０は、図１６〜図１８に示した状態から、図１４および図１５に示した状態へと戻される。
【００６２】
［第３の実施の形態］
次に、本発明の第３の実施の形態として、第１の実施の形態で説明した電磁調理器の、本体２０の内部に変更を加えたものを説明する。図１９は、本発明の第３の実施の形態である電磁調理器の、加熱室２２を含む部分の断面図である。
【００６３】
加熱室２２は、その後端（ドア２１によって開閉される側とは反対側の端部）で、ダクト２３に接続されている。また、加熱室２２内には、食品を載置するためのトレイ９０が設置されている。なお、図１９では、ヒータ３１，３５は、図示を省略している。
【００６４】
本実施の形態では、加熱室２２の天面２２Ａが、ダクト２３に向けて、高くなるように傾斜を付けられている。つまり、天面２２Ａは、ドア２１側からダクト２３に向けて、徐々に高くなっている。これにより、加熱調理の際に加熱室２２内で発生した煙が、図１９において複数の矢印で示すように、ドア２１側からダクト２３側へ、上方に向かって、速やかに、流れる。
【００６５】
また、加熱室２２の底面２２Ｂは、ドア２１側に向けて低くなるように、傾斜を付けられている。なお、底面２２Ｂは、トレイ９０が底面２２Ｂの傾斜により前方に滑り落ちないないように、突起２２Ｐを形成されている。そして、加熱室２２の底面２２Ｂが、ドア２１側が最も低くなるように傾斜を有していることにより、加熱室２２内で食品から生じた水や油等の汁が、自重で、ドア２１付近まで流れ易くなる。これにより、加熱室２２内の清掃が、より容易になる。
【００６６】
今回開示された各実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、可能な限り、単独で実施しても良いし、組み合わせて実施しても良い。
【図面の簡単な説明】
【図１】本発明の加熱調理器の第１の実施の形態である据え置き型グリル付電磁調理器の斜視図である。
【図２】図１の電磁調理器の本体の内部を示す図である。
【図３】図１の電磁調理器の加熱室の下面図である。
【図４】図３の加熱室のＩＶ−ＩＶ線に沿う矢視断面図である。
【図５】図３の加熱室に取付けられた状態での、可動板の平面図である。
【図６】図３の加熱室の、可動板が取付けられる付近の、可動板が外された状態での、後面図である。
【図７】（Ａ）は、図５のピンの平面図であり、（Ｂ）は、図５の可動板の平面図である。
【図８】図１の電磁調理器に備えられた可動板が、図４に示す状態から、ピンを軸として回動した際の状態を示す図である。
【図９】図８の可動板付近の拡大図である。
【図１０】図１の電磁調理器の右側面図である。
【図１１】図１の電磁調理器において、厨房家具に当該電磁調理器を固定するための部材備えられた部分の内部構造を模式的に示す図である。
【図１２】図１１の固定用金具の近傍を、矢印Ｔ方向から見た図である。
【図１３】図１１に示す状態から図１１では、固定用金具５２が、矢印Ｑ方向に引出され、ビス５１がねじ込まれるた状態を示す図である。
【図１４】本発明の加熱調理器の第２の実施の形態である電磁調理器の正面図である。
【図１５】図１４のＸＶ−ＸＶ線に沿う矢視断面図である。
【図１６】図１５に示す状態から、ルーバが回転移動した状態を示す図である。
【図１７】図１６に示した電磁調理器の正面図である。
【図１８】図１６に示した電磁調理器のギア近傍を一部破断させた状態での正面図である。
【図１９】本発明の第３の実施の形態である電磁調理器の、加熱室を含む部分の断面図である。
【図２０】従来の加熱調理器の斜視図である。
【図２１】図２０の加熱調理器の下本体の一部を破断した斜視図である。
【符号の説明】
１　電磁調理器、１３〜１５　開口、２０　本体、２１　ドア、２２　加熱室、２３，２６　ダクト、２４　制御基板、２５　ファン、３１　ヒータ、４０　操作パネル、５０　保持部材、５１　ビス、５２　固定用金具、６０　ルーバ、６１，６２　ギア、６３　スイッチ、６４　モータ、２３０　可動板。
【図１】
2004044941.tif 000003
【図２】
2004044941.tif 000004
【図３】
2004044941.tif 000005
【図４】
2004044941.tif 000006
【図５】
2004044941.tif 000007
【図６】
2004044941.tif 000008
【図７】
2004044941.tif 000009
【図８】
2004044941.tif 000010
【図９】
2004044941.tif 000011
【図１０】
2004044941.tif 000012
【図１１】
2004044941.tif 000013
【図１２】
2004044941.tif 000014
【図１３】
2004044941.tif 000015
【図１４】
2004044941.tif 000016
【図１５】
2004044941.tif 000017
【図１６】
2004044941.tif 000018
【図１７】
2004044941.tif 000019
【図１８】
2004044941.tif 000020
【図１９】
2004044941.tif 000021
【図２０】
2004044941.tif 000022
【図２１】
2004044941.tif 000023